(57)【要約】【課題】遊技盤の強度を維持しつつ表示領域の拡大と遊技盤上の遊技領域の確保を両立でき、かつ表示面の遊技の進行による経時的な劣化を防止する。【解決手段】遊技盤３２の周縁にリング状の図画変動表示装置２８を設けた。この動作は、表示板３６を取り付けた回転体３４を回転させ、表示板３６上の図柄を順次１２時の位置に固定配置された発光ユニットを通過させ、特定の図柄を停止させることで、当該特定の図柄を強調する。遊技者はこの強調された図柄を見て抽選の結果を認識する。遊技盤３２の中央をパチンコ球が流動する遊技領域としたため、遊技領域７４が拡大され、パチンコ機本来の趣向性を高めることができる。遊技盤３２の周縁であるため、遊技者からも見易くなり、適度な眼球運動にもなり得る。また、機械的な移動であるため、当／外の信頼性が高まる。【選択図】        図１
2004229690.tif 000002
【特許請求の範囲】
【請求項１】
遊技盤面上に設けられた始動口への遊技球の入賞を契機に抽選が実行され、当該抽選の結果を所定の変動パターン演出後の停止図柄によって報知する図柄変動表示装置を備え、前記抽選が当りの場合に遊技者に有利な遊技状態となる遊技機であって、
前記図柄変動表示装置が、
前記遊技盤の遊技領域周縁に沿ってリング状に設けられ、周方向に区切られてそれぞれ図柄がプリントされた所定の透過率を有する表示部と、
前記表示部による図柄表示状態を前記抽選結果に基づいて特定して、当該特定した図柄を透過表示する表示制御手段と、
を有する遊技機。
【請求項２】
前記表示部が、前記遊技盤の遊技領域周縁に沿って回転駆動するリング状の回転体と、前記回転体に設けられ前記遊技盤の周方向に区切られてそれぞれ図柄がプリントされた所定の透過率を有する表示板と、前記回転体とは別に当該回転体の移動軌跡上の一部に固定的に設けられた発光部と、で構成され、
前記表示制御手段が、前記発光部を発光させた状態で前記回転体の回転駆動を開始すると共に、前記抽選結果に基づいて選択された前記表示板上の所定の図柄に対向した位置で停止させることで、当該図柄を透過表示することを特徴とする請求項１記載の遊技機。
【請求項３】
前記表示部が、前記遊技盤の周縁に沿って略均一にリング状に設けられた光源と、前記光源に対向して設けられ前記遊技盤の周方向に区切られてそれぞれ図柄がプリントされた所定の透過率を有する表示板と、で構成され、
前記表示制御手段が、前記光源を隣接する光源に受け渡すように順次点灯、消灯すると共に、前記抽選結果に基づいて選択された前記表示板上の所定の図柄に対向した位置で順次点灯を停止させることで、当該図柄を透過表示することを特徴とする請求項１記載の遊技機。
【請求項４】
遊技盤面上に設けられた始動口への遊技球の入賞を契機に抽選が実行され、当該抽選の結果を所定の変動パターン演出後の停止図柄によって報知する図柄変動表示装置を備え、前記抽選が当りの場合に遊技者に有利な遊技状態となる第１の役物と、
遊技盤中央に設けられ、所定のタイミングで入球した遊技球が、所定の入賞口へ入賞したことを契機に、所定の確率で遊技者にとって有利な遊技状態となる権利を得ることが可能な権利獲得ステージを備えた第２の役物と、が併用された遊技機であって、
前記第１の役物に適用される図柄変動表示装置が、
前記遊技盤の遊技領域周縁に沿ってリング状に設けられ、周方向に区切られてそれぞれ図柄がプリントされた所定の透過率を有する表示部と、
前記表示部による図柄表示状態を前記抽選結果に基づいて特定して、当該特定した図柄を透過表示する表示制御手段と、
を有する遊技機。
【発明の詳細な説明】
【０００１】
【発明の属する技術分野】
本発明は、遊技盤面上に設けられた始動口への遊技球の入賞を契機に抽選が実行され、当該抽選の結果を、図柄変動パターン演出後の停止図柄によって報知する図柄変動表示装置を備え、前記抽選が当りの場合に遊技者に有利な遊技状態となる遊技機に関するものである。
【０００２】
【従来の技術】
従来より、遊技機、特にパチンコ機において、始動入賞口（特別図柄始動入賞口）に入賞したパチンコ球を検出することで抽選がなされ、この抽選の結果、当たりとなると、大入賞口が所定期間、所定回数開放され（１回の開閉を１ラウンドとし、一般に１０〜１６ラウンド継続する。）、遊技球の入賞率を高める、遊技者に有利な状態とする機能（大当り）を持つパチンコ機がある。
【０００３】
この種のパチンコ機では、抽選の結果を遊技者に報知する演出として、パチンコ機のゲージ盤の中央に表示部（通常は液晶表示画面）を設置している。この表示部は、複数の列（例えば３列）の図柄変動パターン画面が構成され（背景画面もある）、この変動する図柄変動パターン演出後に停止したときの図柄の並びで当／外を報知するようになっている。遊技者は、この図柄変動画面を見ることによって、当たりか外れかに一喜一憂するため、期待感を持たせることができる。
【０００４】
図柄変動パターンでは、２列の図柄変動が停止したときに当り図柄の場合リーチとなり、遊技者にとって当りの期待感が高まるリーチパターン演出が実行され、スーパーリーチに発展したときはさらに遊技者の期待感が高まる。
【０００５】
ここで、従来では表示部が遊技盤の中央に位置しており、年々その形状が拡大されてきている（特許文献１及び特許文献２参照）。
【０００６】
この結果、実際の遊技盤の遊技領域（パチンコ球が移動する領域）が狭まり、本来のパチンコ遊技の趣向性を損なうものとなっている。
【０００７】
これを解決するために、特許文献３では、遊技盤の中央に従前の可変表示手段を設けると共に、遊技盤の外周近傍に、遊技盤面と面一の表示面（透光面）を持つリング状の抽選表示手段を設けることが提案されている。なお、この抽選表示手段の表示面（透光面）について、特許文献３では、遊技盤面と面一であることは記載されていないが図面を参酌した上での予測である。
【０００８】
これによれば、遊技盤面のパチンコ球の流路を狭めることなく、表示部を拡大することができる。
【０００９】
【特許文献１】
特開２００１−８７４６６公報
【特許文献２】
特開２００２−１１１８１公報
【特許文献３】
特開平１０−１６５５９１号公報
【００１０】
【発明が解決しようとする課題】
しかしながら、上記特許文献３では、リング状の抽選表示手段の表示面に透光板を設けており、この透光面をパチンコ球が通過することによる擦れ、或いは衝撃についても配慮が全くない。従って、経時的に透光面に傷がつき、最悪は破損する可能性がある。
【００１１】
また、遊技盤自体は、通常ベニアの合板にプラシートを貼り付けた構造が一般的であるが、上記のようなリング状の抽選表示手段を設けることで、遊技盤自体の強度が極端に低下し、変形等が起き易く、釘の調整に誤差が生じやすい。これは、パチンコ機としては致命的な欠陥である。
【００１２】
さらに、複数の遊技仕様（例えば、１種と２種）を併用した遊技機を設計する場合、従来同一箇所にそれぞれの役物が設けることができないため、必然的に遊技盤の遊技領域（パチンコ球の流動領域）が狭められることになる。
【００１３】
本発明は上記事実を考慮し、遊技盤の強度を維持しつつ表示領域の拡大と遊技盤上の遊技領域の確保を両立でき、かつ表示面の遊技の進行による経時的な劣化を防止することができる遊技機を得ることが目的である。
【００１４】
【課題を解決するための手段】
請求項１に記載の発明は、遊技盤面上に設けられた始動口への遊技球の入賞を契機に抽選が実行され、当該抽選の結果を所定の変動パターン演出後の停止図柄によって報知する図柄変動表示装置を備え、前記抽選が当りの場合に遊技者に有利な遊技状態となる遊技機であって、前記図柄変動表示装置が、前記遊技盤の遊技領域周縁に沿ってリング状に設けられ、周方向に区切られてそれぞれ図柄がプリントされた所定の透過率を有する表示部と、前記表示部による図柄表示状態を前記抽選結果に基づいて特定して、当該特定した図柄を透過表示する表示制御手段と、を有している。
【００１５】
請求項１記載の発明によれば、遊技盤の周縁にリング状の表示部を設け、表示制御手段によって、当該表示部に、抽選結果に基づいて特定された図柄を透過表示する。
【００１６】
遊技盤の周縁にリング状に表示部を設けることで、遊技盤上の遊領域（例えば、パチンコ球の流動領域）を狭めることがない。また、遊技盤の周囲に表示部が存在するため、遊技者のみならず、抽選の結果によって当該遊技者を補佐する店員にも見やすくなり、遅滞のない補佐が可能となる。
【００１７】
さらに、遊技領域とは完全に分離してあるため、表示部が遊技媒体によって損傷を受けることがなく、経時的な劣化を防止することができる。また、遊技盤自体に埋設するのではないため、従前の強度を維持することができ、遊技盤の変形等により遊技に支障をきたすような不具合はない。
【００１８】
請求項２に記載の発明は、前記請求項１に記載の発明において、前記表示部が、前記遊技盤の遊技領域周縁に沿って回転駆動するリング状の回転体と、前記回転体に設けられ前記遊技盤の周方向に区切られてそれぞれ図柄がプリントされた所定の透過率を有する表示板と、前記回転体とは別に当該回転体の移動軌跡上の一部に固定的に設けられた発光部と、で構成され、前記表示制御手段が、前記発光部を発光させた状態で前記回転体の回転駆動を開始すると共に、前記抽選結果に基づいて選択された前記表示板上の所定の図柄に対向した位置で停止させることで、当該図柄を透過表示することを特徴としている。
【００１９】
請求項２に記載の発明によれば、請求項１に記載の表示部の実施態様であり、発光部を回転体に設けて回転させることで、表示板が固定的に配置された位置に順次移動する。この表示板には、図柄がプリントされている。このため、特定の図柄が発光部の光路上となり、この光路上の図柄が透過して遊技者に強調される。
【００２０】
すなわち、図柄表示制御基板では、発光部を発光させた状態で前記回転体の回転駆動を開始させる。その後、前記抽選結果に基づいて選択された前記表示板上の所定の図柄を発光部の光路上に停止させる。遊技者は透過光によって強調されている図柄が停止図柄であると認識し、抽選の結果を認識する。
【００２１】
請求項３に記載の発明は、前記請求項１に記載の発明において、前記表示部が、前記遊技盤の周縁に沿って略均一にリング状に設けられた光源と、前記光源に対向して設けられ前記遊技盤の周方向に区切られてそれぞれ図柄がプリントされた所定の透過率を有する表示板と、で構成され、前記表示制御手段が、前記光源を隣接する光源に受け渡すように順次点灯、消灯すると共に、前記抽選結果に基づいて選択された前記表示板上の所定の図柄に対向した位置で順次点灯を停止させることで、当該図柄を透過表示することを特徴としている。
【００２２】
請求項３に記載の発明によれば、請求項１に記載の表示部の実施態様であり、光源をリング状に配列し、順次点灯させることで光の移動を実現する。この光の移動軌跡上には、表示板が設けられており、図柄がプリントされている。このため、光の移動に伴って、光路上の図柄が透過して遊技者に強調される。
【００２３】
すなわち、図柄表示制御基板では、光源を隣接する光源に受け渡すように順次点灯、消灯する。その後、前記抽選結果に基づいて選択された前記表示板上の所定の図柄に対向した位置で順次点灯を停止させる。遊技者は透過光によって強調されている図柄が停止図柄であると認識し、抽選の結果を認識する。
【００２４】
請求項４に記載の発明は、遊技盤面上に設けられた始動口への遊技球の入賞を契機に抽選が実行され、当該抽選の結果を所定の変動パターン演出後の停止図柄によって報知する図柄変動表示装置を備え、前記抽選が当りの場合に遊技者に有利な遊技状態となる第１の役物と、遊技盤中央に設けられ、所定のタイミングで入球した遊技球が、所定の入賞口へ入賞したことを契機に、所定の確率で遊技者にとって有利な遊技状態となる権利を得ることが可能な権利獲得ステージを備えた第２の役物と、が併用された遊技機であって、前記第１の役物に適用される図柄変動表示装置が、前記遊技盤の遊技領域周縁に沿ってリング状に設けられ、周方向に区切られてそれぞれ図柄がプリントされた所定の透過率を有する表示部と、前記表示部による図柄表示状態を前記抽選結果に基づいて特定して、当該特定した図柄を透過表示する表示制御手段と、を有している。
【００２５】
請求項４に記載の発明によれば、第１の役物では、抽選の結果を報知するための図柄変動表示装置が必須である。一方、第２の役物では、有利な遊技状態となる権利を獲得するための権利獲得ステージが必須である。
【００２６】
しかし、この図柄変動表示装置と権利獲得ステージとは、同一の箇所、すなわち遊技盤の中央に位置しているのが一般的であった。この内、権利獲得ステージは直接遊技盤上を流動する遊技球の入球が条件となるため、移動は遊技盤上以外不可能である。一方、図柄変動表示装置は、遊技者に抽選結果を報知するのみで直接遊技球等の遊技媒体とは関わらない。
【００２７】
そこで、この図柄変動表示装置を遊技盤の遊技領域周縁に沿ってリング状に設け、表示部による図柄表示状態を前記抽選結果に基づいて特定して、当該特定した図柄を透過表示するようにした。
【００２８】
これにより、遊技盤上の遊技領域を狭めることなく、２種類の遊技仕様を備えた遊技機を得ることができる。
【００２９】
【発明の実施の形態】
図１には、本発明の一実施の形態に係るパチンコ機１０が示されている。パチンコ機１０は外枠１２を備え、外枠１２の前面には、窓部を有する額縁状の内枠１４の一側部（図１の左辺部）が開閉可能に取付けられている。
【００３０】
内枠１４の中央には、窓部となっており、この窓部には紙面奥行き方向に所定の間隔で互いに平行とされた一対のガラス１６（二重構造）が装着されたガラス枠２０が設けられている。また、内枠１４の図１の右辺部には施錠装置（シリンダ）２２が設けられている。
【００３１】
内枠１４は、前記ガラス１６を円形に見せるようにベース板２４（図２参照）が取付けられている。ベース板２４には、表示灯６２、６３やスピーカ６４、６６等が取付けられている。また、ベース板２４は、合成樹脂製のカバー２６で覆われている。カバー２６は半透明であり、ベース板２４に取付けられたＬＥＤ等の光源の点灯によってカバー２６全体が電飾部材の役目も有している。
【００３２】
ここで、このカバー２６の内周縁と、前記ガラス枠２０の外周縁との間には、若干の隙間が設けられ、リング状の図柄変動表示装置２８が配設されている。
【００３３】
図２に示される如く、この図柄変動表示装置２８は、遊技者と対向する側が開口された、断面略コ字型（樋状）の筐体３０を備えている。
【００３４】
筐体３０内には、当該筐体３０の底部に設けられた複数のコロローラ３３に支持されたリング状の回転体３４が配設されている。この回転体３４は、底板部３４Ａの一端部に縦壁部３４Ｂが取付けられ断面が略Ｌ字型とされている。回転体３４は、この底板部３４Ａが前記コロローラ３３によって支持されることで、ほとんど無抵抗で筐体３０内を周回することが可能となっている。
【００３５】
また、この回転体３４における前記筐体３０の前記開口端には、底板部３４Ａと平行な状態で表示板３６が取付けられている。この表示板３６には、周方向に均等ピッチで仕切られた領域が設けられ、各領域に１図柄となるように図柄群がプリントされた図柄シート３８が貼り付けられている。
【００３６】
また、この表示板３６に対向するように、筐体３０の開口端には、透明保護板４０が取付られている。
【００３７】
さらに、底板部３４Ａの他端部は、ラック（歯）が形成されており、筐体３０を貫通する第１の歯車４２と噛み合っている。
【００３８】
一方、内枠１４には、モータ４４が設けられている。このモータ４４の駆動軸４４Ａには、第２の歯車４６が取付けられている。この第２の歯車４６は、前記第１の歯車４２と噛み合っている。このため、モータ４４が駆動することで、第２の歯車４６及び第１の歯車４２を介して回転体３４に駆動力が伝達され、回転体３４が周回するようになっている。
【００３９】
また、前記筐体３０内には、その一部（第１の実施の形態では、遊技者から見て時計文字盤の１２時の位置）に発光ユニット４８が取付られている。この発光ユニット４８は、前記回転体３４の底板部３４Ａと表示板３６との間の空間に固定的に配置されるように筐体３０に片持ち状態で支持されている。
【００４０】
発光ユニット４８は、ベース基板４８Ａとこのベース基板４８Ａの表示板３６に向けられた面側に取付けられたＬＥＤ４８Ｂとで構成されている。ＬＥＤ４８Ｂを発光させるための電源は、ベース基板４８Ａを介して前記内枠１４側から配線されている（配線については図示省略）。
【００４１】
ここで、発光ユニット４８のＬＥＤ４８Ｂが発光すると、対向している表示板３６に照射され、この位置にプリントされている図柄が透過照明されることになる。このため、遊技者側から見ると、一部の図柄が透過光によって強調される。
【００４２】
前記回転体３４が回転していると、順次図柄が強調され、回転体３４が停止すると、この停止したときに透過照明される図柄が特定図柄（停止図柄）として認識される。この回転体３０の回転開始及び停止（図柄変動パターン）は、後述する図柄表示制御基板１６０（図３参照）によって制御されるようになっている。
【００４３】
図１に示される如く、ガラス枠２０の下方位置には、球皿部５０を備えた一体皿５２が配設されている。この一体皿の球皿部５０には、貯球タンク（図示省略）と連通し、この貯球タンク内のパチンコ球を球皿部５０へ流出させる連通口５４が設けられている。
【００４４】
一体皿５２は、その一側部（図１の左辺部）が内枠１４に対して開閉可能に取付けられている。一体皿５２の前面には、左側下部に灰皿５６が配置され、右側下部には発射装置１６４（図３参照）から発射する打球の飛距離を調整するための発射ハンドル５８が設けられている。
【００４５】
また内枠１４の窓部には、遊技盤載置台に載せて交換可能とされた遊技盤３２が窓部に対応して設置されている。
【００４６】
図４に示される如く、遊技盤３２は、外バンド７０及び内バンド７２によって囲まれた略円形状の遊技領域７４が形成されている。
【００４７】
遊技領域７４には、釘７６や風車７８の他、大入賞口（変動入賞装置）８０等の役物、始動口８２や通過装置８４、入賞装置８６等の遊技部品が取り付けられており、最下位置にアウト口５４が配置されている。なお、第１の実施の形態では、遊技盤３２（遊技領域７４）の中央は、特に図示していないが、釘７６や風車７８等が取付可能な領域（パチンコ球流動領域）となっている。
【００４８】
図３には、パチンコ機１０を制御するための制御系の概略が示されている。制御系は、主制御基板１５０を中心として、払出制御基板１５２、音声制御基板１５４、ランプ制御基板１５６、発射制御基板１５８、図柄表示制御基板１６０等、機能毎に分類されている（なお、以下これらを総称する場合、副制御基板１５１という）。
【００４９】
なお、主制御基板１５０並びに副制御基板１５１は、管理制御基板２０６を介してパチンコ店側のホールコンピュータ２０８に接続することにより、パチンコ機の稼動状況を管理することも可能となっている。
【００５０】
主制御基板１５０には、遊技に関する基本的なプログラムが記憶されており、この主制御基板１５０からの命令信号に基づいて、その他の副制御基板１５１が独自に実行する。
【００５１】
払出制御基板１５２は、払出賞球装置１６２を制御して、球貸し時の払出し、入賞時の賞球に応じてパチンコ球を払い出すものであり、音声制御基板１５４は、パチンコ機１０に設けられたスピーカ６４、６６からの効果音等の出力を制御する。また、ランプ制御基板１５６は、パチンコ機１０に取り付けられた複数の表示灯６２、６３の点灯・消灯を制御し、発射制御基板１５８は、発射装置１６４を制御して、遊技者によるハンドル５８の操作に応じてパチンコ球を打ち出す。
【００５２】
図柄表示制御基板１６０は、図柄変動表示装置２８における回転体３４の回転及び停止を実行するモータ４４の駆動制御、並びに発光ユニット４８の点灯を制御する。この駆動制御及び点灯制御は、主制御基板１５０からの命令信号に基づいて、所定の演出効果をもたらす表示を実行する。
【００５３】
前記主制御基板１５０には、始動口８２に設けられた始動入賞センサ１６８、通過装置８４を通過したパチンコ球を検出する通過センサ１７１、入賞装置８６に入賞したパチンコ球を検出する入賞センサ１７２、並びに大入賞口８０に入賞したパチンコ球を検出する大入賞口センサ１７３が接続されている。なお、大入賞口８０には、大入賞口の開閉動作を継続するためのＶゾーンが設けられており、このＶゾーンにもＶゾーンセンサ１７７が設けられており、主制御基板１５０に接続されている。
【００５４】
また、この主制御基板１５０には、始動口８２に設けられた電動チューリップ８２Ａを開閉させるためのソレノイド１７４、大入賞口８０を開閉させるためのソレノイド１７５が接続されている。
【００５５】
また、主制御基板１５０では、特別図柄や普通図柄の当／外抽選がなされ、この抽選結果に基づく図柄変動表示装置２８での表示内容を選択し、図柄表示制御基板１６０へ命令信号を出力する。すなわち、図柄表示制御基板１６０には、複数種の命令信号に基づく異なる表示内容のデータが予め記憶されており、命令信号に基づいてデータが選択されて、起動するようになっている。
【００５６】
なお、図示は省略したが、遊技盤３２に設けられる普通図柄表示装置や保留ランプ等も主制御基板１５０によって制御されるようになっている。
【００５７】
以下に第１の実施の形態の作用を説明する。
【００５８】
まず、通常遊技の流れを説明する。
【００５９】
遊技者がハンドル５８を把持し、発射のための操作を行なうと、このハンドル操作量（回転量）に応じた強度で、パチンコ球が打ち出される。
【００６０】
パチンコ球が打ち出されると、外バンド７０及び内バンド７２に案内されて釘７６や風車７８等に当接しながら、予測し得ない移動をしながら落下していく。ここで、始動口８２にパチンコ球が入賞すると、乱数カウンタを用いて所定の確率下で大当り抽選が開始される。この大当り抽選の結果、当り／外れが決定すると、それぞれにおいて、予め準備された図柄変動パターンを選択（乱数カウンタで選択してもよい）し、図柄変動表示装置２８に図柄変動パターンを表示する（詳細後述）。
【００６１】
抽選の結果が当りの場合は、予め設定したラウンド数（例えば、１５ラウンド）の大当たり処理が実行される。この大当たり処理中は、大入賞口８０がほとんど開放状態であるため、遊技者によって有利な状態とすることができる。所定ラウンドの大当たり処理が終了すると、通常の遊技に戻る。
【００６２】
ここで、第１の実施の形態における図柄変動パターンを表示する図柄変動表示装置２８は、従来のように遊技盤の中央に設けておらず、遊技盤の外周に沿って設けている。
【００６３】
図柄変動表示装置２８は、外観的に遊技者に対向してリング状の表示板３６が設けられている。この状態で主制御基板１５０から命令信号が図柄表示制御基板１６０に送信されると、図柄表示制御基板１６０では、発光ユニット４８のＬＥＤ４８Ｂを点灯させると共にモータ４４の駆動を開始する。
【００６４】
モータ４４が駆動すると、第２の歯車４６及び第１の歯車４２を介して、モータ４４の駆動力が回転体３４に伝達される。
【００６５】
この結果、回転体３４が回転を開始し、これと共に表示板３６も回転する。表示板３６が回転すると、周方向に区切られた各図柄が順次発光ユニット４８に対応するため、順次図柄が強調される（図５参照）。
【００６６】
回転体３４は、図柄表示制御基板１６０からの信号に基づいて、高速回転、低速回転、正転、逆転等の変動パターンを行った後、特定の図柄を発光ユニット４８に対応させて停止する。
【００６７】
遊技者は、この発光ユニット４８からの光が透過照明となって強調された図柄を特定図柄（停止図柄）として認識し、当たり外れが判明する。
【００６８】
以上説明したように、第１の実施の形態では、遊技盤３２の周縁にリング状の図画変動表示装置２８を設けた。この動作は、表示板３６を取り付けた回転体３４を回転させ、表示板３６上の図柄を順次１２時の位置に固定配置された発光ユニットを通過させ、特定の図柄を停止させることで、当該特定の図柄を強調する。遊技者はこの強調された図柄を見て抽選の結果を認識する。遊技盤３２の中央をパチンコ球が流動する遊技領域としたため、遊技領域７４が拡大され、パチンコ機本来の趣向性を高めることができる。遊技盤３２の周縁であるため、遊技者からも見易くなり、適度な眼球運動にもなり得る。また、機械的な移動であるため、当／外の信頼性が高まる。
【００６９】
なお、第１の実施の形態では、図柄変動表示装置の回転体３４及び表示板３６を一重のリングとしたが、図６に示される如く、三重のリングとし、それぞれの回転体３４を独立して回転制御することで、従来と同様に３種類の図柄の配列で抽選結果を報知することができる。例えば、図６に示される如く、回転体３４の回転によって表示板３６にプリントされた同一の図柄が、予め設定された発光ユニット４８の位置に揃い、透過照明された場合は当たり（図６（Ａ）参照）、異なる図柄が発光ユニット４８の光で透過照明された場合には外れ（図６（Ｂ）となる。
【００７０】
また、第１の実施の形態では、図柄変動表示装置の回転体３４及び表示板３６を一重のリングとしたが、一重では、抽選結果の報知のバリエーションが足りない場合には、図７に示される如く、遊技盤３２の中央に二重のリングの表示装置（ＬＣＤ或いはＬＥＤ等）８６を設けるようにしてもよい。すなわち、この表示装置８６における二重のリング状表示で特定される図柄と、上記表示板３６で特定される図柄との組み合わせによって抽選結果を報知する。これにより、従来と同様に３種類の図柄の配列で抽選結果を報知することができる。
【００７１】
この場合、遊技盤３２（遊技領域７４）の中央の表示装置８６の径寸法は小さくで済み、遊技領域を極端に狭めるような不具合はなく、表示装置８６の表示面をフラットとし、強化ガラスやＦＲＰ等、パチンコ球の当接による衝撃で損傷しにくい部材で保護すれば、表示装置８６の表示面をパチンコ球通過領域としても適用できる。
【００７２】
さらに、第１の実施の形態では、図柄変動表示装置２８を遊技領域７４の周縁にリング状に設けたため、遊技領域７４の中央をパチンコ球の流動領域として適用するようしたが、図８に示される如く、従来通りの液晶表示装置８８を配設してもよい。液晶表示装置８８は、特別図柄に関する様々な演出、宣伝、普通図柄の抽選、確変の抽選等に用いることができる。この場合、遊技盤の遊技領域の拡大には反するが、現状維持で用途を拡大することができる。
【００７３】
（第２の実施の形態）
以下に本発明の第２の実施の形態について説明する。なお、上記第１の実施の形態と同一構成部分については同一の符号を付して、その構成の説明を省略する。
【００７４】
第２の実施の形態は、本発明の請求項４に対応しており、その特徴は、パチンコ機の仕様として周知である、１種パチンコ機と２種パチンコ機とを併用したパチンコ機に本発明を適用したものである（以下、Ｗパチンコ機２１０という）。
【００７５】
図９に示される如く、Ｗパチンコ機２１０の遊技領域７４の中央には、２種役物２１２が配設されている。
【００７６】
この２種役物２１２は、その外周が壁体２１４で覆われており、左右に遊技盤３２の他の領域から２種役物２１２の内部にパチンコ球が流入可能な開口部２１６が形成されている。
【００７７】
開口部２１６には、それぞれ羽根部材２１８が取付けられており、図示しない駆動手段（例えば、ソレノイド等）の駆動力によって羽根部材２１８の下端部を中心に前記開口部２１６を開閉するように動作する。
【００７８】
遊技盤３２における、この２種役物２１２の下部には、３個の２種始動口２２０Ａ、２２０Ｂ、２２０Ｃが横並びで設けられている。
【００７９】
左右の２種始動口２２０Ａ、２２０Ｃにパチンコ球が入賞すると、前記羽根部材２１８が１回の開閉を行う。また、中央の２種始動口２２０Ｂにパチンコ球が入賞すると、前記羽根部材２１８が２回の開閉を行う。開放している時間がいずれもわずかであるが（約０．５から１秒）、この間にタイミングよく２種役物２１２内にパチンコ球が入球すると、所定のステージに案内され、例えば１／３程度の確率でＶゾーンへと導かれるようになっている。
【００８０】
Ｖゾーンに導かれて入賞すると、当たりとなり、前記羽根部材２１８が開閉を所定時間で繰り返し実行される。なお、羽根部材２１８の開閉は、所定数の入賞或いはＶゾーンへの入賞でラウンドが更新され、１０〜１５ラウンド繰り返される。この結果、遊技者に有利な遊技状態となり、遊技者は短時間で多くの賞球を受けることができる。
【００８１】
一方、２種役物２１８の左右（或いは何れか一方）には、１種始動口２２２が設けられており、この１種始動口２２２にパチンコ球が入賞することで、内部抽選が実行され、その抽選結果の報知を遊技領域７４の周縁に設けた図柄変動表示装置２８によって報知する。
【００８２】
抽選の結果が当たりの場合には、前記羽根部材２１８を開放することで、大当たり処理が実行される。すなわち、２種役物２１２を１種の大入賞口として適用するようになっている。
【００８３】
上記のように、遊技領域７４の周縁には、１種用の図柄変動表示装置２８を設け、中央には２種役物２１２を配置すると共に、遊技盤３２上において、１種始動口２２２と２種始動口２２０Ａ、２２０Ｂ、２２０Ｃの両方を設けることで、同一の遊技盤３２上で１種と２種の遊技を同時に行うことができる。
【００８４】
すなわち、図柄変動表示装置２８を遊技領域７４の周縁に設けることで空いた空間に２種役物２１２を設けることができるようになり、１種と２種の併用が容易となる。
【００８５】
（第３の実施の形態）
以下に本発明の第３の実施の形態について説明する。この第３の実施の形態は、第１の実施の形態及び第２の実施形態で適用された図柄変動表示装置２８と構成（光による順次強調構成）が異なる図柄変動表示装置２５０（図１０参照）を設けた点であり、上記第１の実施の形態及び第２の実施の形態の双方のハパチンコ機（パチンコ機１０、Ｗパチンコ機２１２）に適用可能である。
【００８６】
図１０に示される如く、図柄変動表示装置２５０は、互いに平行な一対の壁体２５２Ａとこの壁体２５２Ａの中央部で掛け渡された主板２５２Ｂとで構成された筐体２５２を備えている。
【００８７】
筐体２５２の主板２５２Ｂには、遊技者に対向する面側に発光ユニット２５４が周方向の全域に亘って設けている。また、この発光ユニット２５４が取付けられた側の一対の壁体２５２Ａの端部間には、表示板２５６が設けられている。この表示板２５６には、周方向に均等ピッチで仕切られた領域が設けられ、各領域に１図柄となるように図柄群がプリントされた図柄シート２５８が貼り付けられている。
【００８８】
発光ユニット２５４は、リング状のベース基板２５４Ａとこのベース基板２５４Ａの表示板２５６に向けられた面側に取付けられたＬＥＤ２５４Ｂとで構成されている。ＬＥＤ２５４Ｂは、各図柄に対応するように設けられている。また、ＬＥＤ２５４Ｂを発光させるための電源は、ベース基板２５４Ａを介して前記内枠１４側から配線されている（配線については図示省略）。
【００８９】
ここで、発光ユニット２５４のＬＥＤ２５４Ｂは、順次隣接するＬＥＤ２５４Ｂに発光状態を受け渡すように点灯、消灯が制御される。このため、光がリング状に移動する演出が可能となる。このため、点灯しているＬＥＤ２５４Ｂに対向している表示板２５６が照射され、この位置にプリントされている図柄が透過照明されることになる。このため、遊技者側から見ると、一部の図柄が透過光によって強調される。
【００９０】
すなわち、ＬＥＤ２５４Ｂの光がルーレット状に周回し、点灯位置が固定されると、この固定したときに透過照明される図柄が特定図柄（停止図柄）として認識される。
【００９１】
すなわち、前記第１の実施の形態は、光が固定で図柄が回転移動する構成であったのに対し、本第２の実施の形態は、図柄が固定で光が回転移動する構成であるため、遊技者以外の者、例えば店員等にも見易い状態となり、例えば、当たりとなったときにドル箱等を差し出すサービスを行う場合、遅滞なくこのサービスを実行することができる。
【００９２】
【発明の効果】
以上説明した如く本発明では、遊技盤の強度を維持しつつ表示領域の拡大と遊技盤上の遊技領域の確保を両立でき、かつ表示面の遊技の進行による経時的な劣化を防止することができるという優れた効果を有する。
【図面の簡単な説明】
【図１】第１の実施の形態に係るパチンコ機の正面図である。
【図２】図１のＩＩ−ＩＩ線断面図である。
【図３】第１の実施の形態に係るパチンコ機における制御系のブロック図である。
【図４】第１の実施の形態に係る遊技盤の正面図である。
【図５】第１の実施の形態に係る図柄変動表示装置における発光ユニットが設けられた部分の拡大正面図である。
【図６】第１の実施の形態の変形例に係る図柄変動表示装置（三重リング）における発光ユニットが設けられた部分の拡大正面図である。
【図７】第１の実施の形態の変形例に係るパチンコ機（遊技盤中央二重リング）の正面図である。
【図８】第１の実施の形態の変形例に係るパチンコ機（遊技盤中央ＬＣＤ）の正面図である。
【図９】第２の実施の形態に係るＷパチンコ機（１種／２種併用）の正面図である。
【図１０】第３の実施の形態に係る図２に対応する図柄変動表示装置の断面図である。
【符号の説明】
（第１の実施の形態）
１０    パチンコ機
１４    内枠
２０    ガラス枠
２６    カバー
２８    図柄変動表示装置
３０    筐体
３２    遊技盤
３３    コロローラ
３４    回転体
３４Ａ    底板部
３４Ｂ    縦壁部
３６    表示板
３８    図柄シート
４０    透明保護板
４２    第１の歯車
４４    モータ
４６    第２の歯車
４８    発光ユニット
４８Ａ    ベース基板
４８Ｂ    ＬＥＤ
７４    遊技領域
１５０    主制御基板
１６０    図柄表示制御基板
（第２の実施の形態）
２１０    Ｗパチンコ機
２１２    ２種役物
２１６    開口部
２１８    羽根部材
２２０Ａ、２２０Ｂ、２２０Ｃ    ２種始動口
２２２    １種始動口
（第３の実施の形態）
２５０    図柄変動表示装置
２５２    筐体
２５４    発光ユニット
２５６    表示板
２５８    図柄シート
２５４Ｂ    ＬＥＤ
【図１】
2004229690.tif 000003
【図２】
2004229690.tif 000004
【図３】
2004229690.tif 000005
【図４】
2004229690.tif 000006
【図５】
2004229690.tif 000007
【図６】
2004229690.tif 000008
【図７】
2004229690.tif 000009
【図８】
2004229690.tif 000010
【図９】
2004229690.tif 000011
【図１０】
2004229690.tif 000012